(57)【要約】      （修正有）【課題】アオリイカ釣りでは、ヤエンという方法が用いられるが、アオリイカが掛かる確率が低く、より捕獲率の高いヤエンが求められている。その一つとして跳ね上げヤエンが考案され、世に出ることになったが、支点、作用点があっても力点のあいまいなもの、また、バネ等を使用するため、作り方が複雑になって使いにくい物が多かった。捕獲確率が高く持ち運びが簡単で使いやすいヤエンを提供する。【解決手段】捕獲用掛針Ｂ１、Ｂ２のついた部分を跳ね上げる為、支点後方にプレートＣをつけ、アオリイカを引き寄せる際にプレートＣに掛かる水圧を利用して、捕獲用掛針Ｂ１、Ｂ２の部分を跳ね上げることにより捕獲率がより高くなる。又、ヤエン投入後ヤエンが餌に到達するまではプレートＣは道糸とほぼ平行で進みヤエンの推進力にはほとんど影響は無い。更に捕獲用掛針にアオリイカが掛かった後は、道糸と一直線になり、ヤエンには不要な力は掛からない。【選択図】図１
2012110314.tif 000002
【特許請求の範囲】
【請求項１】
本体上部Ａと本体下部Ｂの接合部Ｂ３に、筒状金具を付け回転軸を設け支点とし、本体上部Ａと本体下部Ｂの間にプレートＣを、本体上部ＡにプレートＣの上部を蝶番状に付け、プレートＣの下方に穴Ｃ３を開け、本体下部Ｂの後方を通し可動式にし、ヤエン投入後引き寄せる際、プレートＣに水圧がかかり、プレートＣ下部が下がることにより、連動する本体Ｂ後方も下がり、Ｂ３を支点に本体下部Ｂ前方が跳ね上がり、捕獲用掛針Ｂ１、Ｂ２がアオリイカに掛かる確率が高くなるヤエン。
【発明の詳細な説明】
【技術分野】
【０００１】  本発明は、アオリイカ釣りに用いる跳ね上げヤエンの形態に関する。
【背景技術】
【０００２】  一般に、アオリイカ釣りには、擬似餌（エギ）を使う方法と、生餌（活アジ、死にアジ、冷凍アジ、小魚等）を使う方法がある。生餌釣りの場合、餌には捕獲用の針は使用せず、アオリイカが餌を抱いた後、捕獲用掛針のついたヤエンを道糸に取り付け、アオリイカのところまで滑降させ、捕獲用掛針に掛かったアオリイカを引き寄せ、ギャフ、タモ等で捕獲する釣り方であるが、従来の一般的なヤエン（図５）は捕獲率が低く、捕獲率を高めるため様々な形状のヤエンが提案されている。【０００３】  跳ね上げヤエン、本体が中折れ式（可動式）のもの例１（図６、図７）例２（図８、図９）等あるが、跳ね上げるための力点があいまいである。【０００４】  スプリングバネを使用した複雑なもの（図１０、図１１）は持ち運び、取り扱いが不便でアオリイカに到達するまでに、入水時の衝撃、又浮遊物との接触などで跳ね上がってしまうこともある。【０００５】  オモリの形状により、引き寄せる時のオモリに掛かる水圧により、跳ね上げるヤエン例１（図１２）例２（図１３）もあるが使いこなすのに技術を要し、跳ね上がる角度も小さい。【０００６】  プレートを使用し、水圧を利用して跳ね上げるヤエン。
【先行技術文献】
【０００７】
【特許文献１】特開２００８−２６３９３２
【０００８】
【特許文献２】特開２００５−１１０５７８  があるが複雑で、持ち運び、取り扱いが不便である。
【発明の概要】
【発明が解決しようとする課題】
【０００９】  これまでのヤエンは跳ね上がらないもの、技術を要するもの、仕組みが複雑で持ち運び、取り扱いが不便なものであった。そこで、本発明では、支点、力点、作用点のバランスを改善し、持ち運び、取り扱いが簡単で、餌を抱いたアオリイカに到達後、釣り人の方に引き寄せると捕獲用掛針が跳ね上がり、捕獲率を高くすることを課題とする。
【課題を解決するための手段】
【００１０】  上記課題を解決するために、本発明のヤエンは図１、図２、図３に示すように、本体上部Ａと、本体下部Ｂの接合部Ｂ３に、筒状金具を付け回転軸を設け支点とし、本体上部Ａと本体下部Ｂの間にプレートＣを、本体上部ＡにプレートＣの上部を蝶番状に付け、プレートＣの下方に穴Ｃ３を開け、本体下部Ｂの後方を通し可動式にし、ヤエン投入後引き寄せる際、プレートＣに水圧がかかり、プレートＣ下部が下がることにより、連動する本体Ｂ後方も下がり、Ｂ３を支点に本体下部Ｂ前方が跳ね上がり、捕獲用掛針Ｂ１、Ｂ２がアオリイカに掛かる確率が高くなる。
【発明の効果】
【００１１】  本発明によれば、従来の一般的なヤエンと比較して、持ち運び、取り扱いが変わらず、スプリングバネを使用した跳ね上げヤエンや、プレートを使用し、水圧を利用して跳ね上げる他のヤエンと比較すると、仕組みは簡単である。【００１２】  ヤエンが餌に到達するまでの抵抗は小さく、餌に到達した後、手前に引き寄せるとプレートに水圧が掛かり捕獲用掛針部が跳ね上がり、アオリイカに掛かる確率が高くなる。【００１３】  アオリイカが捕獲用掛針に掛かると、アオリイカは餌を放し捕獲用掛針に全体重がかかることにより、ヤエンは元の形状に戻り引き寄せがスムーズに行える。
【図面の簡単な説明】
【００１４】
【図１】本発明の一実施形態を示す側面図。
【図２】本発明の目的である、跳ね上がった形の側面図。
【図３】本発明の一実施形態を示す斜視図。
【図４】本発明の一実施形態のプレート周りを示す平面拡大図。
【図５】従来の一般的なヤエンの側面図。
【図６】跳ね上げヤエン例１の側面図。
【図７】跳ね上げヤエン例１の跳ね上がった形の側面図。
【図８】跳ね上げヤエン例２の平面図。
【図９】跳ね上げヤエン例２の跳ね上がった形の側面図。
【図１０】スプリングバネを使用した跳ね上げヤエンの側面図。
【図１１】スプリングバネを使用した跳ね上げヤエンが跳ね上がった形の側面図。
【図１２】オモリの形状により、引き寄せる際のオモリに掛かる水圧で跳ね上げるヤエン例１の側面図。
【図１３】オモリの形状により、引き寄せる際のオモリに掛かる水圧で跳ね上げるヤエン例２の側面図。
【発明を実施するための形態】
【００１５】  本発明の一実施形態を、図１、図２、図３に示す。
本ヤエンは、本体上部Ａ、本体下部Ｂ、プレートＣで構成する。
【００１６】  本体上部Ａは、道糸ガイド前方支柱Ａ１、道糸ガイド後方支柱Ａ２、プレート取り付け金具Ａ３、バランス調整オモリＡ４、本体下部との接合折り曲げ部Ａ５で構成する。
【００１７】  道糸ガイド前方支柱Ａ１、プレート取り付け金具Ａ３は、本体上部Ａにハンダ付けし、道糸ガイド後方支柱Ａ２は本体上部Ａを折り曲げる、バランス調整オモリＡ４は中通しのナマリを使用し、本体下部との接合折り曲げ部Ａ５は図３で示すように折り曲げ、本体下部のＢ３の穴に入れ、端を折り曲げる。
【００１８】  本体下部Ｂは捕獲用掛針Ｂ１、Ｂ２、本体上部との接合部Ｂ３、プレートストッパーＢ４で構成する。
【００１９】  捕獲用掛針Ｂ１、Ｂ２、本体上部との接合部Ｂ３、プレートストッパーＢ４は本体下部Ｂにハンダ付けする。
【００２０】  本体上部との接合部Ｂ３は筒状金具をハンダ付けし、回転軸とする。
【００２１】  プレートＣは図４に示す形で、本体上部のプレートに取り付け金具Ａ３に取り付けるための穴Ｃ１、Ｃ２、本体下部Ｂ後方を通すための穴Ｃ３で構成する。
【００２２】  本体上部のプレート取り付け金具Ａ３の両端をＣ１、Ｃ２に通し、端を折り曲げ蝶番状に取り付ける。
【００２３】  本体下部Ｂ後方をＣ３に通し可動式に取り付ける。
【００２４】「実施形態の効果」
このヤエンの取り扱い、持ち運びは従来の一般的なヤエンと変わらず、アオリイカが餌を抱いた後、従来のヤエン投入のタイミングでヤエンを投入し、ヤエンが餌に到達するまでは図１に示す形で進み、ヤエンが餌に到達後引き寄せる際、プレートＣに水圧が掛かり、Ａ３を支点にプレート下部が下がることにより、連動する本体下部Ｂの後方が下がり、支点Ｂ３から前方が図２に示すように跳ね上がり、捕獲用掛針Ｂ１、Ｂ２がアオリイカに掛かる、アオリイカは針掛かりすると、餌を放し、アオリイカは捕獲用掛針Ｂ１、Ｂ２に、餌は道糸ガイド前方支柱Ａ１に残る。
このことにより、ヤエンは投入時の形図１に戻り、引き寄せの際、必要以上の負荷は掛からない。
【００２５】「他の実施形態」
図１の実施形態では、Ａ、Ｂの寸法又Ａ１の位置と高さ、Ａ２の高さ、Ａ３の位置と寸法、Ａ４の重さと位置、Ｂ１とＢ２の間隔、Ｂ３の位置、Ｂ４の位置、Ｃの幅と長さ等変えても良い。
【符号の説明】
【００２６】Ａ…本体上部    Ｂ…本体下部    Ｃ…プレート    Ａ１…道糸ガイド前方支柱
Ａ２…道糸ガイド後方支柱    Ａ３…プレート取り付け金具
Ａ４…バランス調整オモリ    Ａ５…本体下部との接合折り曲げ部
Ｂ１・Ｂ２…捕獲用掛針    Ｂ３…本体上部との接合部    Ｂ４…プレートストッパー
Ｃ１・Ｃ２…本体上部のプレート取り付け金具に取り付けるための穴
Ｃ３…本体下部後方を通すための穴
【図１】
2012110314.tif 000003
【図２】
2012110314.tif 000004
【図３】
2012110314.tif 000005
【図４】
2012110314.tif 000006
【図５】
2012110314.tif 000007
【図６】
2012110314.tif 000008
【図７】
2012110314.tif 000009
【図８】
2012110314.tif 000010
【図９】
2012110314.tif 000011
【図１０】
2012110314.tif 000012
【図１１】
2012110314.tif 000013
【図１２】
2012110314.tif 000014
【図１３】
2012110314.tif 000015